(57)【要約】【課題】最大のサステインパルス数だけに該当する階調を表現するようにして、階調表現力を向上させるプラズマディスプレイパネルの駆動装置及びその階調表現方法を提供する。【解決手段】入力映像信号を、プラズマディスプレイパネルに印加されるサステインパルス数に該当する逆ガンマ補正階調が表現されるように、逆ガンマ補正する。この時、前記逆ガンマ補正階調に対応してサステインパルス数中心のサブフィールドに変換する。また、入力映像信号別の平均信号レベルによってサステインパルス数を決定して、これに対応する逆ガンマテーブルを異にしてサステインパルス数に該当する逆ガンマ補正階調が表現されるようにして、これをサステインパルス数中心のサブフィールドに変換する。これによって、誤差拡散など付加的な計算なしで階調表現力を向上させることができ、使用されるサステインパルス数が増加すれば、階調表現力をさらに向上させることができる。【選択図】図５
2005122189.tif 000002
【特許請求の範囲】
【請求項１】
入力映像信号に対応してプラズマディスプレイパネルに表示される各フィールドの画像を複数個のサブフィールドに分け、このサブフィールドの組み合わせによって階調を表現して、前記入力映像信号に対応する映像を表示するプラズマディスプレイパネルの駆動装置において、
前記プラズマディスプレイパネルに印加されるサステインパルス数に該当する逆ガンマ補正階調が表現されるように前記入力映像信号を逆ガンマ補正する逆ガンマ補正部;
前記逆ガンマ補正部から出力されるサステインパルス数に該当する逆ガンマ補正階調に対応してサステインパルス数中心のサブフィールドに変換するサステインパルスサブフィールド変換部;
前記サステインパルスサブフィールド変換部で変換されたサブフィールドの配列に基づいて制御信号を生成して前記プラズマディスプレイパネルに印加する維持・走査駆動部;を含むことを特徴とする、プラズマディスプレイパネルの駆動装置。
【請求項２】
前記逆ガンマ補正部から出力される映像信号データのビットは、前記プラズマディスプレイパネルに印加される最大のサステインパルス数により決定されることを特徴とする、請求項１に記載のプラズマディスプレイパネルの駆動装置。
【請求項３】
前記サステインパルスサブフィールド変換部で変換されたサブフィールドの組み合わせによって表現することができる階調は、前記プラズマディスプレイパネルに印加される最大のサステインパルス数により決定されることを特徴とする、請求項１に記載のプラズマディスプレイパネルの駆動装置。
【請求項４】
前記サステインパルスサブフィールド変換部で変換されるサブフィールドの個数は、前記プラズマディスプレイパネルに印加される最大のサステインパルス数により決定されることを特徴とする、請求項１に記載のプラズマディスプレイパネルの駆動装置。
【請求項５】
入力映像信号に対応してプラズマディスプレイパネルに表示される各フィールドの画像を複数個のサブフィールドに分け、このサブフィールドの組み合わせによって階調を表現して、前記入力映像信号に対応する映像を表示するプラズマディスプレイパネルの階調表現方法において、
（ａ）前記プラズマディスプレイパネルに印加されるサステインパルス数に該当する逆ガンマ補正階調が表現されるように前記入力映像信号を逆ガンマ補正する段階;
（ｂ）前記段階（ａ）で逆ガンマ補正されたサステインパルス数に該当する逆ガンマ補正階調に対応してサステインパルス数中心のサブフィールドに変換する段階;
（ｃ）前記段階（ｂ）で生成されたサブフィールドデータに対応する映像が前記プラズマディスプレイパネルに表示されるように制御する段階を含むことを特徴とするプラズマディスプレイパネルの階調表現方法。
【請求項６】
前記段階（ｂ）で変換されたサブフィールドの組み合わせによって表現することができる階調は、前記プラズマディスプレイパネルに印加される最大のサステインパルス数により決定されることを特徴とする、請求項５に記載のプラズマディスプレイパネルの階調表現方法。
【請求項７】
前記段階（ｂ）で変換されるサブフィールドの個数は、前記プラズマディスプレイパネルに印加される最大のサステインパルス数により決定されることを特徴とする、請求項５に記載のプラズマディスプレイパネルの階調表現方法。
【請求項８】
入力映像信号に対応してプラズマディスプレイパネルに表示される各フィールドの画像を複数個のサブフィールドに分け、このサブフィールドの組み合わせによって階調を表現して、前記入力映像信号に対応する映像を表示するプラズマディスプレイパネルの駆動装置において、
前記入力映像信号の１フレームのデータの平均信号レベルを測定してサステインパルス数を決定するサステインパルス数決定部;
前記サステインパルス数決定部によって決定されたサステインパルス数に対応する複数のガンマ補正テーブルを利用して、前記プラズマディスプレイパネルに印加されるサステインパルス数に該当する逆ガンマ補正階調が表現されるように前記入力映像信号を逆ガンマ補正する逆ガンマ補正部;
前記逆ガンマ補正部から出力されるサステインパルス数に該当する逆ガンマ補正階調に対応してサステインパルス数中心のサブフィールドに変換するサステインパルスサブフィールド変換部;
前記サステインパルスサブフィールド変換部で変換されたサブフィールドの配列に基づいて制御信号を生成して前記プラズマディスプレイパネルに印加する維持・走査駆動部;を含むことを特徴とする、プラズマディスプレイパネルの駆動装置。
【請求項９】
前記サステインパルスサブフィールド変換部で変換されたサステインパルス数中心のサブフィールドの配列は、前記サステインパルス数決定部によって決定された最大のサステインパルス数に対応することを特徴とする、請求項８に記載のプラズマディスプレイパネルの駆動装置。
【請求項１０】
前記サステインパルス数決定部は、前記平均信号レベルが高い場合に少ないサステインパルス数を決定し、前記平均信号レベルが低い場合に多いサステインパルス数を決定することを特徴とする、請求項８または請求項９に記載のプラズマディスプレイパネルの駆動装置。
【請求項１１】
前記サステインパルスサブフィールド変換部で変換されたサブフィールドの組み合わせによって表現することができる階調は、前記サステインパルス数決定部によって決定されたサステインパルス数により決定されることを特徴とする、請求項８または請求項９に記載のプラズマディスプレイパネルの駆動装置。
【請求項１２】
入力映像信号に対応してプラズマディスプレイパネルに表示される各フィールドの画像を複数個のサブフィールドに分け、このサブフィールドの組み合わせによって階調を表現して、前記入力映像信号に対応する映像を表示するプラズマディスプレイパネルの階調表現方法において、
（ａ）前記入力映像信号の１フレームのデータの平均信号レベルを測定してサステインパルス数を決定する段階;
（ｂ）前記段階（ａ）で決定されたサステインパルス数に対応する複数のガンマ補正テーブルを利用して、前記プラズマディスプレイパネルに印加されるサステインパルス数に該当する逆ガンマ補正階調が表現されるように前記入力映像信号を逆ガンマ補正する段階;
（ｃ）前記段階（ｂ）で逆ガンマ補正されたサステインパルス数に該当する逆ガンマ補正階調に対応してサステインパルス数中心のサブフィールドに変換する段階;
（ｄ）前記段階（ｃ）で生成されたサブフィールドデータに対応する映像が前記プラズマディスプレイパネルに表示されるように制御する段階;を含むことを特徴とする、プラズマディスプレイパネルの階調表現方法。
【請求項１３】
前記段階（ｃ）で変換されたサステインパルス数中心のサブフィールドの配列は、前記段階（ａ）で決定された最大のサステインパルス数に対応することを特徴とする、請求項１２に記載のプラズマディスプレイパネルの階調表現方法。
【請求項１４】
前記段階（ｃ）で変換されたサブフィールドの組み合わせによって表現することができる階調は、前記段階（ａ）で決定されたサステインパルス数により決定されることを特徴とする、請求項１２または請求項１３に記載のプラズマディスプレイパネルの階調表現方法。
【発明の詳細な説明】
【技術分野】
【０００１】
本発明はプラズマディスプレイパネル（ＰＤＰ）の駆動装置及びその階調表現方法に係り、特に、階調表現力を向上させるパラズマディスプレイパネルの駆動装置及びその階調表現方法に関する。
【背景技術】
【０００２】
最近、液晶表示装置（ＬＣＤ）、電界放出表示装置（ＦＥＤ）、プラズマディスプレイパネルなどの平面表示装置が活発に開発されている。これらの平面表示装置の中でもプラズマディスプレイパネルは、他の平面表示装置に比べて輝度及び発光効率が高くて視野角が広いという長所がある。従って、プラズマディスプレイパネルが４０インチ以上の大型表示装置で従来の陰極線管（ＣＲＴ）に代替される表示装置として脚光を浴びている。
【０００３】
プラズマディスプレイパネルは、気体放電によって生成されたプラズマを使用して文字または映像を表示する平面表示装置であって、その大きさに応じて数十から数百万個以上の画素がマトリックス形態に配列されている。このようなプラズマディスプレイパネルは、印加される駆動電圧波形の形態及び放電セルの構造によって、直流型と交流形とに区分される。
【０００４】
直流型プラズマディスプレイパネルは、電極が絶縁されないまま放電空間に露出されていて電圧が印加される間は電流が放電空間に流れ続けるので、電流の制限のための抵抗を形成する必要がある短所がある。これに対し、交流型プラズマディスプレイパネルは、電極を誘電体層が覆っていて自然な直列キャパシタンス成分の形成により電流が制限されて放電時にイオンの衝撃から電極が保護されるので、直流型ＰＤＰに比べて寿命が長いという長所がある。
【０００５】
図１は交流型プラズマディスプレイパネルの一部斜視図である。
【０００６】
図１に示したように、第１ガラス基板１の上側に誘電体層２及び保護膜３で覆われた走査電極４及び維持電極５が対になって平行に形成される。
【０００７】
第２ガラス基板６上には絶縁体層７で覆われた複数のアドレス電極８が形成される。
【０００８】
アドレス電極８の間にある誘電体層７上にはアドレス電極８と平行に隔壁９が形成されており、誘電体層７の表面及び隔壁９の両側面に蛍光体１０が形成されている。ガラス基板１、６は、走査電極４とアドレス電極８及び維持電極５とアドレス電極８が直交するように放電空間１１を隔てて対向して配置されている。アドレス電極８と対になる走査電極４と維持電極５との交差部分にある放電空間が放電セル１２を形成する。
【０００９】
図２はプラズマディスプレイパネルの電極の配列図である。
【００１０】
図２に示したように、プラズマディスプレイパネルの電極はｍ×ｎのマトリックス形態に配列され、具体的には、列方向にはアドレス電極（Ａ１〜Ａｍ）が配列されており、行方向にはｎ行の走査電極（Ｙ１〜Ｙｎ）及び維持電極（Ｘ１〜Ｘｎ）がジグザグに配列されている。図２の放電セル１２は図１の放電セル１２に対応する。
【００１１】
一般的に、このような交流型プラズマディスプレイパネルの駆動方法は、視覚的な動作変化で表現すると、リセット期間、アドレシング期間、及びサステイン期間からなる。
【００１２】
リセット期間は、セルにアドレシング動作が円滑に行われるようにするために各セルの状態を初期化する期間であり、アドレシング期間は、パネル内の発光セルと発光しないセルとを区別して発光セル（アドレシングされたセル）にアドレス電圧を印加して壁電荷を積む動作を行う期間である。サステイン期間は、サステインパルスを印加してアドレシングされたセルに実際に画像を表示するための放電を行う期間である。
【００１３】
図３に示したように、プラズマディスプレイパネルでは、１フレーム（１ＴＶフィールド）を複数のサブフィールドに分けて、これを時分割制御して階調を表現する。各サブフィールドは、前記リセット期間、アドレシング、期間及びサステイン期間からなる。図３には、２５６階調を表現するために１フレームを８個のサブフィールドに分けたことを示した。各サブフィールド（ＳＦ１-ＳＦ８）は、リセット期間（図示せず）、アドレス期間（Ａ１-Ａ８）、及びサステイン期間（Ｓ１-Ｓ８）からなって、サステイン期間（Ｓ１-Ｓ８）は、発光期間（１Ｔ、２Ｔ、４Ｔ、…、１２８Ｔ）の比が１:２:４:８:１６:３２:６４:１２８になる。
【００１４】
この時、例えば、３という階調を表現するためには、１Ｔ発光期間を有するサブフィールドＳＦ１と２Ｔ発光期間を有するサブフィールドＳＦ２とで放電セルを放電させて、放電される期間の合計が３Ｔになるようにする。このような方法で、互いに異なる発光期間を有するサブフィールドを組み合わせて２５６階調の映像を表示する。
【００１５】
また、従来のプラズマディスプレイパネルの階調表現は、図３のようなサステイン期間に該当するサブフィールド加重値にフレーム別の平均階調によっていくつかの倍数をかけて各サブフィールド別に割当てられるパルス数を決定した。つまり、フレーム別にコントラストを増加させると同時に消費電力を減少させるために、フレーム別の平均階調によってサステインパルス数が異なるようにした。例えば、平均階調が低い場合は相対的に高いサステインパルス数が割当てられるようにサブフィールド加重値の４倍数のパルスを使用し、平均階調が高い場合は相対的に低いサステインパルス数が割当てられるようにサブフィールド加重値の２倍数のパルスを使用して、２５６階調を表現した。従って、従来の方法では、サステインパルス数に関係なく階調中心に決定されたサブフィールド加重値に一定の倍数をかけてサステインパルスの総数だけを増加させて階調を表現するため、階調表現力を向上させるのには限界がある。
【発明の開示】
【発明が解決しようとする課題】
【００１６】
本発明が目的とする技術的課題は、前記従来の技術の問題点を解決することであって、最大のサステインパルス数だけに該当する階調を表現するようにして、階調表現力を向上させるプラズマディスプレイパネルの駆動装置及びその階調表現方法を提供することにある。
【課題を解決するための手段】
【００１７】
前記目的を達成するための本発明の特徴によるプラズマディスプレイパネルの駆動装置は、入力映像信号に対応してプラズマディスプレイパネルに表示される各フィールドの画像を複数個のサブフィールドに分け、このサブフィールドの組み合わせによって階調を表現して、前記入力映像信号に対応する映像を表示するプラズマディスプレイパネルの駆動装置において、前記プラズマディスプレイパネルに印加されるサステインパルス数に該当する逆ガンマ補正階調が表現されるように前記入力映像信号を逆ガンマ補正する逆ガンマ補正部;前記逆ガンマ補正部から出力されるサステインパルス数に該当する逆ガンマ補正階調に対応してサステインパルス数中心のサブフィールドに変換するサステインパルスサブフィールド変換部;前記サステインパルスサブフィールド変換部で変換されたサブフィールドの配列に基づいて制御信号を生成して前記プラズマディスプレイパネルに印加する維持・走査駆動部;を含む。
【００１８】
本発明の他の特徴によるプラズマディスプレイパネルの階調表現方法は、入力映像信号に対応してプラズマディスプレイパネルに表示される各フィールドの画像を複数個のサブフィールドに分け、このサブフィールドの組み合わせによって階調を表現して、前記入力映像信号に対応する映像を表示するプラズマディスプレイパネルの階調表現方法において、（ａ）前記プラズマディスプレイパネルに印加されるサステインパルス数に該当する逆ガンマ補正階調が表現されるように前記入力映像信号を逆ガンマ補正する段階;（ｂ）前記段階（ａ）で逆ガンマ補正されたサステインパルス数に該当する逆ガンマ補正階調に対応してサステインパルス数中心のサブフィールドに変換する段階;（ｃ）前記段階（ｂ）で生成されたサブフィールドデータに対応する映像が前記プラズマディスプレイパネルに表示されるように制御する段階;を含む。
【００１９】
本発明の他の特徴によるプラズマディスプレイパネルの駆動装置は、入力映像信号に対応してプラズマディスプレイパネルに表示される各フィールドの画像を複数個のサブフィールドに分け、このサブフィールドの組み合わせによって階調を表現して、前記入力映像信号に対応する映像を表示するプラズマディスプレイパネルの駆動装置において、前記入力映像信号の１フレームのデータの平均信号レベルを測定してサステインパルス数を決定するサステインパルス数決定部;前記サステインパルス数決定部によって決定されたサステインパルス数に対応する複数のガンマ補正テーブルを利用して、前記プラズマディスプレイパネルに印加されるサステインパルス数に該当する逆ガンマ補正階調が表現されるように前記入力映像信号を逆ガンマ補正する逆ガンマ補正部;前記逆ガンマ補正部から出力されるサステインパルス数に該当する逆ガンマ補正階調に対応してサステインパルス数中心のサブフィールドに変換するサステインパルスサブフィールド変換部;前記サステインパルスサブフィールド変換部で変換されたサブフィールドの配列に基づいて制御信号を生成して前記プラズマディスプレイパネルに印加する維持・走査駆動部;を含む。
【００２０】
本発明の他の特徴によるプラズマディスプレイパネルの階調表現方法は、入力映像信号に対応してプラズマディスプレイパネルに表示される各フィールドの画像を複数個のサブフィールドに分け、このサブフィールドの組み合わせによって階調を表現して、前記入力映像信号に対応する映像を表示するプラズマディスプレイパネルの階調表現方法において、（ａ）前記入力映像信号の１フレームのデータの平均信号レベルを測定してサステインパルス数を決定する段階;（ｂ）前記段階（ａ）で決定されたサステインパルス数に対応する複数のガンマ補正テーブルを利用して、前記プラズマディスプレイパネルに印加されるサステインパルス数に該当する逆ガンマ補正階調が表現されるように前記入力映像信号を逆ガンマ補正する段階;（ｃ）前記段階（ｂ）で逆ガンマ補正されたサステインパルス数に該当する逆ガンマ補正階調に対応してサステインパルス数中心のサブフィールドに変換する段階;（ｄ）前記段階（ｃ）で生成されたサブフィールドデータに対応する映像が前記プラズマディスプレイパネルに表示されるように制御する段階;を含む。
【発明の効果】
【００２１】
以上で説明したように、本発明によれば、サステインパルス数によって最適な階調表現を行うサブフィールドの配列を使用することによって、誤差拡散など付加的な計算なしで階調表現力を向上させることができる。また、使用されるサステインパルス数が増加すれば、階調表現力をさらに向上させることができる特有の効果がある。
【発明を実施するための最良の形態】
【００２２】
以下では、添付した図面を参考にして、本発明の実施例について、本発明が属する技術分野で通常の知識を有する者が容易に実施することができるように詳細に説明する。しかし、本発明は多様な異なる形態で実現することができ、ここで説明する実施例に限定されない。
【００２３】
図面で本発明を明確に説明するために、説明と関係のない部分は省略した。明細書全体を通じて類似した部分については同一な図面符号を付けた。
【００２４】
それでは、本発明の実施例について、添付した図面を参照して詳細に説明する。
【００２５】
図４は本発明の実施例によるプラズマディスプレイパネルの概略的な平面図である。
【００２６】
図４に示したように、本発明の実施例によるプラズマディスプレイパネルは、プラズマパネル１００、アドレス駆動部２００、走査・維持駆動部３００、及び制御部４００を含む。
【００２７】
プラズマパネル１００は、列方向に配列されている複数のアドレス電極（Ａ１-Ａｍ）と行方向にジグザグに配列されている複数の走査電極（Ｙ１-Ｙｎ）及び維持電極（Ｘ１-Ｘｎ）とを含む。アドレス駆動部２００は、制御部４００からアドレス駆動制御信号を受信して、表示しようとする放電セルを選択するための表示データ信号を各アドレス電極（Ａ１-Ａｍ）に印加する。走査・維持駆動部３００は、制御部４００から制御信号を受信して、走査電極（Ｙ１-Ｙｎ）及び維持電極（Ｘ１-Ｘｎ）にサステイン電圧を交互に印加することによって選択された放電セルに対して維持放電を行う。
【００２８】
制御部４００は、外部からＲ、Ｇ、Ｂ映像信号及び同期信号を受信して、１フレームをいくつかのサブフィールドに分け、各サブフィールドをリセット期間、アドレス期間、及び維持放電期間に分けて、プラズマディスプレイパネルを駆動する。この時、制御部４００は、１フレームに入るサブフィールドの各サステイン期間に入るサステインパルス数を調節して、必要な制御信号をアドレス駆動部２００及び走査維持駆動部３００に印加する。
【００２９】
以下では、図５乃至図１２を参照して、本発明の実施例による制御部４００について詳細に説明する。
【００３０】
図５は本発明の第１実施例によるプラズマディスプレイパネルの制御部４００の概略的なブロック図である。
【００３１】
図５に示したように、本発明の第１実施例によるプラズマディスプレイパネルの制御部は、逆ガンマ補正部４１０、サステインパルスサブフィールド変換部４２０を含む。
【００３２】
逆ガンマ補正部４１０は、入力されるｎビットの映像信号を逆ガンマ曲線にマッピングして任意のＱビットの映像信号に補正する。通常入力されるビットは８ビットであるので、以下では入力映像信号が８ビットである場合について説明する。この時、入力映像信号の８ビットをＱビットに補正する逆ガンマ補正部４１０は、サステインパルス数（任意に決定する）によって逆ガンマ補正の出力を決定する。逆ガンマ補正部４１０の出力ビットであるＱビットは、下記数式１により決定される。
【００３３】
【数１】
2005122189.tif 000003
【００３４】
前記数式１で、Ｐは任意に決定されるサステインパルス数を意味する。例えば、サステインパルス数が１０２３個であれば、出力データの大きさは数式１により１０ビットとなって、逆ガンマ補正部４１０のルックアップテーブルは図６のように決定される。つまり、逆ガンマ補正部４１０によってサステインパルス数に該当する逆ガンマ補正階調が表現される。
【００３５】
この時、逆ガンマ補正部４１０に入力される映像信号はデジタル映像信号であり、プラズマディスプレイパネルにアナログ映像信号が入力される場合には、アナログデジタル変換器（図示せず）でアナログ映像信号をデジタル映像信号に変換する必要がある。そして、逆ガンマ補正部４１０は、入力映像信号をマッピングするための逆ガンマ曲線に該当するデータを保存しているルックアップテーブル（図示せず）または逆ガンマ曲線に該当するデータを論理演算で生成する論理回路（図示せず）を含むことができる。
【００３６】
サステインパルスサブフィールド変換部４２０は、前記逆ガンマ補正部４１０から出力されるサステインパルス数に該当する逆ガンマ補正階調をサステインパルス数中心のサブフィールドに変換する。つまり、従来は、サブフィールドが階調中心に変換された反面、本発明は、サブフィールドがサステインパルス数中心に変換される。例えば、サステインパルス数が前記のように１０２３個であり、サブフィールドの個数が１０個である場合、図７のようなサステインパルスのサブフィールドの配列を使用することができる。
【００３７】
図７は本発明の第１実施例による制御部４００のサステインパルスサブフィールド変換部４２０で、サステインパルス数が１０２３個であり、サブフィールドの個数が１０個である場合の、各サブフィールドでのサステインパルス数を示す図面である。図７に示したように、各サブフィールド（ｓｆ１、ｓｆ２...ｓｆ１０）は加重値を有するのではなくサステインパルス数を有する。従って、サステインパルス数だけの階調が表現される。つまり、サステインパルス数が１０２３個であれば、サステインパルス数だけの階調数である１０２４段階の階調を表現することができる。
【００３８】
図７に示したように、サステインパルス数中心のサブフィールドの配列方法によれば、各サブフィールドの発光パターンの調節によって、０から１０２３まで１間隔ずつで全て表現することができる。つまり、サステインパルスの総数が１０２３個であり、表現することができる階調数が１０２４段階となる。
【００３９】
図８は図７のようなサステインパルス数中心のサブフィールドの配列方法で、各階調を表現するための発光パターンを示す図面である。図８に示したように、階調１を表現するためには、サステインパルスを一つ有するサブフィールド１（ｓｆ１）だけが発光して、階調を表現する。、例えば、一つのサステインパルスによって階調１を表現し、２つのサステインパルスによって階調２を表現する。
【００４０】
従って、本発明の第１実施例による制御部４００のサステインパルス数中心のサブフィールドの配列方法によって、サステインパルス数だけの階調が表現されるので、階調表現力をより向上させることができる。つまり、本発明の第１実施例は、誤差拡散方法など別途の付加的な計算なしで最大に使用するサステインパルス数（任意に決定する）によってサステインパルスのサブフィールドの配列を決定することによって、階調表現力を最大化させることができる。
【００４１】
サステインパルスサブフィールド変換部４２０によって変換されたサステインパルス数中心のサブフィールドの配列のサブフィールドデータ（サステインパルス数データ）は、ＰＤＰ駆動部５００、つまりアドレス駆動部２００及び走査・維持駆動部３００に伝送されて、プラズマディスプレイパネル１００上に表示される。
【００４２】
以上では、任意にサステインパルス数（最大のサステインパルス数を言う）が固定された場合について説明したが、以下では、プラズマディスプレイパネルでフレーム別の平均信号レベル（ＡＳＬ）によって決定されたサステインパルス数を考慮したサステインパルス数中心の階調表現方法が適用されたプラズマディスプレイパネルの制御部４００について説明する。
【００４３】
図９は本発明の第２実施例によるプラズマディスプレイパネルの制御部４００の概略的なブロック図である。
【００４４】
図９に示したように、本発明の第２実施例によるプラズマディスプレイパネルの制御部４００は、サステインパルス数決定部４３０、フレームメモリ部４４０、逆ガンマ補正部４５０、及びサステインパルスサブフィールド変換部４６０を含む。
【００４５】
サステインパルス数決定部４３０は、入力映像信号のフレーム別のサステインパルス数を決定する。つまり、サステインパルス数決定部４３０は、輝度及び消費電力を考慮して最大のサステインパルス数を決定する。サステインパルス数を決定するためにはフレーム別の平均信号レベル（ＡＳＬ）を計算するが、これは下記数式２によって計算される。
【００４６】
【数２】
2005122189.tif 000004
【００４７】
前記数式２で、Ｒｘ、ｙ、Ｇｘ、ｙ、Ｂｘ、ｙは各々ｘ、ｙ位置のＲ、Ｇ、Ｂ階調値を示し、Ｎ及びＭは各々フレームの横及び縦の大きさを示す。前記数式２のように計算された平均信号レベル（ＡＳＬ）によって、輝度及び消費電力を考慮して、サステインパルス数決定部４３０は、サステインパルス数を入力映像信号のフレーム別にサステインパルス数が異なるように決定する。
【００４８】
図１０はフレーム別の平均信号レベルとこの時に使用されるサステインパルス数との関係の例を示す図面である。図１０に示したように、フレーム別の平均階調が低ければピーク輝度を高めるために多いサステインパルス数を使用し、平均階調が高ければ消費電力を減少させるために少ないサステインパルス数を使用する。
【００４９】
この時、本発明によれば使用するサステインパルス数が減少すれば表現することができる階調数が減少するが、図１０に示したように、主に平均階調が明るい映像で使用されるサステインパルス数を減少させ、階調表現問題が主に発生する暗い映像で使用されるサステインパルス数が多いので、階調数が増加して、階調表現力はより向上する。
【００５０】
逆ガンマ補正部４５０は、前記サステインパルス数決定部４３０によって決定されたサステインパルス数（入力映像信号の平均信号レベルによって決定される）によって逆ガンマ補正を行う。つまり、サステインパルス数決定部４３０で決定されたサステインパルス数によって複数の逆ガンマ補正ルックアップテーブル（つまり、ガンマ曲線を意味する）の中から選択して異なるものを使用する。図１１は逆ガンマ補正部４５０がサステインパルス数によって逆ガンマ補正テーブルを異にする一例を示す図面である。図１１に示したように、サステインパルス数が最大のＰｍａｘである場合には、ＳＰ１の逆ガンマ補正ルックアップテーブルによって逆ガンマ補正が行われる。言い換えると、各サステインパルス数によって互いに異なる逆ガンマ曲線の中から一つを選択して逆ガンマ補正が行われる。
【００５１】
この時、逆ガンマ補正部４５０は、入力映像信号の平均信号レベルによって決定されたサステインパルス数によって逆ガンマテーブルを異にするということ以外は、本発明の第１実施例の逆ガンマ補正部４１０と同一にサステインパルス数に該当する逆ガンマ補正の結果を出力する。
【００５２】
フレームメモリ部４４０は、サステインパルス数決定部４４０がサステインパルス数を決定するのに要求する時間だけ現在入力されるフレームのデータを保存して遅延させる。
【００５３】
サステインパルスサブフィールド変換部４６０は、逆ガンマ補正部４５０によって出力されるサステインパルス数に該当する逆ガンマ補正の結果をサブフィールドデータに変換する。この時、サブテインパルスサブフィールド変換部４６０は、最大のサステインパルス数（入力映像信号の平均信号レベルが最も低くて最も多いサステインパルス数を使用する場合のサステインパルス数を言う）に対してサステインパルスのサブフィールドの配列を決定して使用し、コーディングテーブル（各サブフィールドのサステインパルス数とこれに伴う階調表現）も最大のサステインパルス数を基準に有する。例えば、最大のサステインパルス数が１０２３である場合、つまりＰｍａｘが１０２３である場合、図７に示したサステインパルス数中心のサブフィールドの配列を使用することができる。この時のコーディングテーブル（各サブフィールドのサステインパルス数とこれに伴う階調表現）も、図８と同一である。そして、サステインパルス数決定部４３０で決定されたサステインパルス数が１０２３より少ない場合、つまり図１１でＰｍａｘ以下の逆ガンマ補正曲線を使用する場合には、出力される最大値が最大のサステインパルス数である１０２３を逸脱しないので、図８のようなコーディングテーブルで当該サステインパルスの出力値に対するコーディングを決定することができる。
【００５４】
図１２は最大のサステインパルス数が１０２３個である場合に対するサステインパルス数中心のサブフィールドに対するコーディングテーブルで、サステインパルス数が５１２個である場合のコーディングテーブルの使用範囲を示す図面である。図１２に示したように、サステインパルス数が５１２である場合には、図１２のようなコーディングテーブルで一部分を使用して階調を表現することができる。同様に、他のサステインパルス数（サステインパルス数が１０２３個より小さい場合）に対しても、同一なコーディングテーブルで全ての出力が支援される。
【００５５】
サステインパルスサブフィールド変換部４２０によって変換されたサステインパルス数中心のサブフィールドの配列のサブフィールドデータ（サステインパルス数データ）は、ＰＤＰ駆動部５００、つまりアドレス駆動部２００及び走査・維持駆動部３００に伝送されてプラズマディスプレイパネル１００上に表示される。
【００５６】
以上で、本発明の好ましい実施例について詳細に説明したが、本発明の権利範囲はこれに限定されず、請求の範囲で定義している本発明の基本概念を使用した当業者の様々な変形及び改良形態も本発明の権利範囲に属する。
【図面の簡単な説明】
【００５７】
【図１】交流型プラズマディスプレイパネルの一部斜視図である。
【図２】プラズマディスプレイパネルの電極の配列を示す図面である。
【図３】プラズマディスプレイパネルの階調表現方法を示す図面である。
【図４】本発明の実施例によるプラズマディスプレイパネルの概略的な平面図である。
【図５】本発明の第１実施例によるプラズマディスプレイパネルの制御部の概略的なブロック図である。
【図６】本発明の第１実施例による制御部の逆ガンマ補正部における逆ガンマ補正の一例を示す図面である。
【図７】本発明の第１実施例による制御部のサステインパルスサブフィールド変換部で、サステインパルス数が１０２３個であり、サブフィールドの個数が１０個である場合の、各サブフィールドでのサステインパルス数を示す図面である。
【図８】図７のようなサステインパルス数中心のサブフィールドの配列方法で、各階調を表現するための発光パターンを示す図面である。
【図９】本発明の第２実施例によるプラズマディスプレイパネルの制御部の概略的なブロック図である。
【図１０】フレーム別の平均信号レベルとこの時に使用されるサステインパルス数との関係の例を示す図面である。
【図１１】本発明の第２実施例による制御部の逆ガンマ補正部がサステインパルス数によって逆ガンマ補正テーブルを異にする一例を示す図面である。
【図１２】最大のサステインパルス数が１０２３個である場合に対するサステインパルス数中心のサブフィールドに対するコーディングテーブルで、サステインパルス数が５１２個である場合のコーディングテーブルの使用範囲を示す図面である。
【符号の説明】
【００５８】
１００ プラズマパネル
２００ アドレス駆動部
３００ 走査・維持駆動部
４００ 制御部
【図１】
2005122189.tif 000005
【図２】
2005122189.tif 000006
【図３】
2005122189.tif 000007
【図４】
2005122189.tif 000008
【図５】
2005122189.tif 000009
【図６】
2005122189.tif 000010
【図７】
2005122189.tif 000011
【図８】
2005122189.tif 000012
【図９】
2005122189.tif 000013
【図１０】
2005122189.tif 000014
【図１１】
2005122189.tif 000015
【図１２】
2005122189.tif 000016